(57)【特許請求の範囲】
【請求項１】
走行機体の後部に装着され、該走行機体から伝達される動力によって回転する耕耘ロータと該耕耘ロータの進行方向の後側に回動可能に支持された第１整地板と該第１整地板の後端部に回動可能に支持された第２整地板とを備え、前記耕耘ロータが回転しながら前記走行機体の走行とともに進行して耕耘作業を行うとともに、前記第１整地板及び前記第２整地板によって圃場表面を整地する代掻き作業機において、
前記第２整地板の前記進行方向と直交する左右方向の両端部にそれぞれ取り付けられ、前記第２整地板に対して折り畳まれる折畳位置と前記端部から前記左右方向の外側へ向けて延長され前記圃場表面を整地する展開位置との間で選択的に位置変更することが可能な補助整地板を備え、
前記第２整地板の前面の前記左右方向の両側には、それぞれ、前記進行方向でかつ前記左右方向の外側へ向けて傾斜して延びる第１傾斜案内面が形成され、
前記補助整地板には、前記展開位置に位置させた状態で、前記第１傾斜案内面と前記左右方向に隣り合い、前記進行方向でかつ前記左右方向の外側へ向けて傾斜して延びる第２傾斜案内面が形成され、
前記第１傾斜案内面及び前記第２傾斜案内面は、前記走行機体の踏圧によって走行機体側方に押し出された藁等を押し戻すため、前記圃場の泥水を前記左右方向の内側へ向けて流すことが可能であり、
前記第２傾斜案内面の前記左右方向に対する傾斜角度は、前記第１傾斜案内面の前記左右方向に対する傾斜角度よりも大きい
ことを特徴とする代掻き作業機。
【発明の詳細な説明】
【技術分野】
【０００１】
本発明は、走行機体の後部に装着され、走行機体から伝達される動力によって耕耘ロータを回転しながら走行機体の走行とともに進行して圃場の耕耘作業を行う代掻き作業機に関する。
【背景技術】
【０００２】
このような代掻き作業機は、一般的に、耕耘ロータの進行方向後側に第１整地板を上下方向に回動可能に設け、第１整地板の後方側に第２整地板を回動可能に設けて、第１整地板及び第２整地板によって圃場表面を整地しながら第２整地板から泥水を略真っ直ぐ後方へ流すようにしている。このように第２整地板から排出される泥水の流出方向が略真っ直ぐ後方である場合、走行機体の踏圧によって泥水や藁等が走行機体の走行方向に対して側方に押し出されると、この藁等は既に処理された圃場の部分に押し流されたままとなり、きれいに整地された圃場部分が乱されて、圃場表面の全てを均平に整地することができなくなる。
【０００３】
そこで、特許文献１には、第１整地板７０の後方側に配設されて走行機体９０が進行するに従って掘り出された土と水を機体内側方向へ押し出すことが可能な馬鍬７１が提案されている。この馬鍬７１を走行機体９０の後部に装着した状態の斜視図を図９（ａ）に示し、馬鍬７１の裏面図を図９（ｂ）に示し、これらの図を参照して説明すると、馬鍬７１は、幅方向に延びる支持部材７２の左右両側に一対の左右側刃部７３を配設し、一対の左右側刃部７３間に中央刃部７８を配設して構成される。左右側刃部７３は、支持部材７２の後端部に複数の傾斜馬鍬片７４を支持部材７２に沿って取り付けて構成され、中央刃部７８は、前後方向の長さが異なる複数個の馬鍬片７９を支持部材７２の後端部に取り付けて構成されている。
【０００４】
傾斜馬鍬片７４は、ヘラ状の板部材を後端側が斜め下方へ延びて支持部材７２に取り付けられ、圃場の表面に接触する後端部は、支持部材７２の幅方向内側に進むに従って後方側に傾斜して延びる。このため、傾斜馬鍬片７４の裏側の空間は、支持部材７２の幅方向内側に進むに従って拡大して傾斜馬鍬片７４の内側端部で開口している。従って、走行機体９０が前進走行して耕耘ロータによって掘り出された泥水は、傾斜馬鍬片７４の内面に接触すると、内側に向きを変えて隣接する他の傾斜馬鍬片７４との間に流出する。
【０００５】
また、機体幅方向内側に向いて延びる傾斜案内面８１ａを有した延長第２整地板８１を備えた代掻き作業機８０は、特許文献２に記載されており、図１０（平面図）に示すように、延長第２整地板８１は第２整地板８２の左右方向端部に回動可能に取り付けられて、第２整地板８２から外側へ延びる整地姿勢Ｐｓと、第２整地板上８２に折り畳まれる格納姿勢Ｐｋとの間を移動可能である。延長第２整地板８１が整地姿勢Ｐｓになると、延長第２整地板８１の前部に形成された傾斜案内面８１ａは左右方向内側に向いて延びて、圃場表面を削り取った泥土等を機体幅方向内側に寄せることができる。
【０００６】
また、第２整地板８６の後端部に第２整地板８６の中央部側に傾いて前後方向に延びる切り欠き部８７を設けた代掻き作業機８５は、特許文献３に記載されており、図１１（平面図）に示すように、切り欠き部８７は第２整地板８６の左右両側の第２整地板８６'の後端部に設けられており、この切り欠き部８７によって第２整地板８６の下方を流れる泥水を機体幅方向内側へ流すことができる。
【０００７】
【特許文献１】特表２００３−５０５０４７号公報
【特許文献２】特開２００７−８２４４２号公報
【特許文献３】特開２００７−２２２１３０号公報
【発明の開示】
【発明が解決しようとする課題】
【０００８】
特許文献１に記載の馬鍬に設けられた傾斜馬鍬片は、支持部材に非連続的に配設されて幅方向長さが比較的に短い。このため、走行機体の踏圧によって走行機体の側方に泥水や藁等が押し出された場合、これらの泥水や藁等は傾斜馬鍬片の裏面に突き当たって内側方向に押し流されるが、この泥水や藁等に作用する内側方向の力の作用時間は比較的に短い。このため、特許文献１に記載の馬鍬では、走行機体の側方に押し出された藁等が既にきれいに整地された圃場部分に残り易く、整地された圃場部分が乱されて、圃場表面の全てを均平に整地することができないという問題を有する。
【０００９】
また、特許文献２に記載の代掻き作業機では、第２整地板には延長第２整地板に設けられた傾斜案内面と同様の傾斜案内面が備えられていない。このため、特許文献２に記載された代掻き作業機では、第２整地板の下を泥水や藁が真っ直ぐ後方へ抜けてしまい、それらを中央よりに導くことができず、圃場表面を均平に整地することができない場合があるという課題があった。
【００１０】
また、特許文献３に記載の代掻き作業機では、切り欠き部による泥水の機体幅方向内側への整流効果は小さく、充分な実効性が得られないという課題があった。
【００１１】
本発明は、このような問題や課題に鑑みてなされたものであり、走行機体の側方に押し出された泥水や藁等を確実に機体の中央側に導いて、圃場表面の全てを均平に整地することができる代掻き作業機を提供することを目的とする。
【課題を解決するための手段】
【００１２】
このような課題を解決するため、本発明は、以下の特徴を有する。特徴の一つは、走行機体の後部に装着され、該走行機体から伝達される動力によって回転する耕耘ロータと該耕耘ロータの進行方向の後側に回動可能に支持された第１整地板と該第１整地板の後端部に回動可能に支持された第２整地板とを備え、耕耘ロータが回転しながら走行機体の走行とともに進行して耕耘作業を行うとともに、第１整地板及び第２整地板によって圃場表面を整地する代掻き作業機において、前記第２整地板の前記進行方向と直交する左右方向の両端部にそれぞれ取り付けられ、前記第２整地板に対して折り畳まれる折畳位置と前記端部から前記左右方向の外側へ向けて延長され前記圃場表面を整地する展開位置との間で選択的に位置変更することが可能な補助整地板を備え、前記第２整地板の前面の前記左右方向の両側には、それぞれ、前記進行方向でかつ前記左右方向の外側へ向けて傾斜して延びる第１傾斜案内面が形成され、前記補助整地板には、前記展開位置に位置させた状態で、前記第１傾斜案内面と前記左右方向に隣り合い、前記進行方向でかつ前記左右方向の外側へ向けて傾斜して延びる第２傾斜案内面が形成され、前記第１傾斜案内面及び前記第２傾斜案内面は、前記走行機体の踏圧によって走行機体側方に押し出された藁等を押し戻すため、前記圃場の泥水を前記左右方向の内側へ向けて流すことが可能であり、前記第２傾斜案内面の前記左右方向に対する傾斜角度は、前記第１傾斜案内面の前記左右方向に対する傾斜角度よりも大きいことを特徴とする。
【００１３】
この特徴によれば、第２整地板の前面と、補助整地板とには、それぞれ、走行機体の踏圧によって走行機体側方に押し出された藁等を押し戻すため、進行方向に対して左右方向内側に向いて延びて圃場の泥水を内側方向に流すことが可能な、第１傾斜案内面と、第２傾斜案内面とが形成されていることにより、引用文献１のように泥水や藁を内側へ整流するための馬鍬を耕耘作業機とは別体として新たに設ける必要がなく、構成を簡素にすることができる。また引用文献２に記載の延長第２整地体だけでなく、第２整地体の本体部にも傾斜案内面を設けることで、泥水や藁等を機体の中央側へより効果的に案内することができる。また引用文献３に記載の切り欠き部を第３整地板に設けるのではなく、第２整地体の本体部に傾斜案内面を設けることで、泥水や藁等を機体の中央側へ充分な実効性を有して案内することができる。
【００１４】
また特徴の一つは、傾斜案内面は左右方向に連続的に形成されていることを特徴とする。
【００１５】
この特徴によれば、傾斜案内面を左右方向に連続的に形成することにより、傾斜案内面が非連続的に形成されたものと比べ、泥水や藁等の機体中央側への案内効率をより高くすることができる。
【発明の効果】
【００１６】
本発明に係わる代掻き作業機によれば、上記特徴を有することにより、走行機体の側方に押し出された泥水や藁等を確実に機体の中央側に案内して、圃場表面の全てを均平に整地することが可能な代掻き作業機を提供することができる。
【発明を実施するための最良の形態】
【００１７】
[第１の実施の形態]
以下、本発明の好ましい実施の形態を図１〜図８に基づいて説明する。先ず、本発明の第１の実施の形態に係わる代掻き作業機について説明する。代掻き作業機１は、図１（側面図）、図２（平面図）に示すように、左右方向に延びる主フレーム３を有した機体５の前部に、走行機体９０の後部に設けられた図示しない３点リンク連結機構に連結されるトップマスト６とロアーリンク連結部７を設けて、走行機体９０の後部に対して昇降可能に装着される。主フレーム３の左右方向の中央部には前方へ突出する入力軸９ａを備えたギアボックス９が設けられ、走行機体９０のＰＴＯ軸からユニバーサルジョイント等の動力伝達手段を介して動力が入力軸９ａに伝達されるようになっている。
【００１８】
主フレーム３の左側端部には、チェーン伝動ケース１１が垂設され、主フレーム３の右側端部には側部フレーム１２がチェーン伝動ケース１１と対向して垂設されている。チェーン伝動ケース１１に接続された主フレーム３の左側部及びチェーン伝動ケース１１内には伝動機構が設けられ、チェーン伝動ケース１１と側部フレーム１２の下端部間に多数の耕耘爪を取り付けた耕耘ロータ１３が回転自在に設けられている。そして、入力軸９ａに伝達された動力は、ギアボックス９を介して主フレーム３及びチェーン伝動ケース１１内の伝動機構に伝達されて、耕耘ロータ１３を所定方向に回転させる。耕耘ロータ１３の上側はシールドカバー１５によって覆われ、このシールドカバー１５の左右方向両端部には側部カバー１７が設けられている。
【００１９】
シールドカバー１５の後端部には、前端部が上下方向に回動自在に取り付けられて後端側が斜め下方に延びる第１整地板１９が取り付けられている。第１整地板１９の後端部１９ａは左右方向に略直線状に形成されており、この後端部１９ａによって耕土表面を平らに整地する。第１整地板１９の後端部１９ａには、第２整地板２０が上下方向に回動自在に取り付けられ、第２整地板２０の左右両端部には、折り畳み可能に回動自在に取り付けられて整地作業を延長して補助するとともに、前部に形成されて内向きに延びる傾斜面部４０ａによって圃場の泥水や藁等を機体幅方向内側へ押し流す補助整地板４０が設けられている。
【００２０】
第２整地板２０は、図３（断面図）を更に追加して説明すると、左右方向に延びる平面視矩形状をなす整地板２１を有し、この整地板２１の前部には上方へ突出する前側段部２１ａが形成され、整地板２１の後部には前側段部２１ａよりも高さが低い後側段部２１ｂが形成され、前側段部２１ａと後側段部２１ｂとの間には左右方向に延びて断面扁平矩形状の補強フレーム２２が整地板２１と一体的に固着されている。この補強フレーム２２の左右両端部及び整地板２１の左右両端部には、前後方向に延びる連結板２３が一体的に固着され、左右一対の連結板２３の前端部が第１整地板１９の後端部１９ａに枢結されている。このため、第２整地板２０は、第１整地板１９の後端部１９ａを支点として上下方向に回動可能である。
【００２１】
第２整地板２０は、左右方向中央部分が機体５の進行方向に対して左右方向に略直交して直線状に延びる直線部２４と、直線部２４の左右両端部に接続されて進行方向に対して左右方向内側に向く傾斜部２５とを有して左右対称構造であり、直線部２４と左右一対の傾斜部２５は連続的に固着されて一体化されている。第２整地板２０の傾斜部２５の前端部と第１整地板１９の後端部１９ａとの間に形成されて平面視において三角状の孔部２６と、第２整地板２０の直線部２４の前端部と第１整地板１９の後端部１９ａとの間に形成されて平面視において矩形状の孔部２７とには、これらの孔部２６，２７を覆うカバー部２８が設けられている。
【００２２】
第２整地板２０及び補助整地板４０の各後端部には、左右方向に所定間隔を有して配置された切り欠き部３０，３０'が複数設けられている。切り欠き部３０，３０'は、平面視において略三角形状に開口している。
【００２３】
第２整地板２０の傾斜部２５に設けられた切り欠き部３０'と補助整地板４０に設けられた切り欠き部３０'の延びる方向は略同一であり、これらの切り欠き部３０'と第２整地板２０の直線部２４に設けられた切り欠き部３０の延びる方向は相違している。切り欠き部３０は、平面視において左右対称の二等辺三角形状に形成されて機体５の進行方向と略同一方向に延びる。このため、第２整地板２０が圃場を前進すると、圃場の泥水は切り欠き部３０を通って第２整地板２０の直線部２４の略真後ろに流出する。
【００２４】
切り欠き部３０'は、左右非対称の略三角形状に形成されて第２整地板２０の中央部側に内向きに傾いて延びる。このため、第２整地板２０が圃場を前進すると、圃場の泥水は切り欠き部３０'を通って第２整地板２０の中央部側に流出する。
【００２５】
このような内向きの傾斜部２５や切り欠き部３０'を有した第２整地板２０を備えた代掻き作業機１が前進すると、図２に示すように、圃場の泥水は、第２整地板２０の直線部２４の後方では代掻き作業機１の進行方向Ａに対して真っ直ぐ後方に流れ、第２整地板２０の傾斜部２５及び補助整地板４０の後方では第２整地板２０の中央部側へ向いた斜め後方に流れる。
【００２６】
このため、補助整地板４０、又は補助整地板４０及び第２整地板２０が既に代掻きが行われた処理済みの圃場Ｆの端部に重ね合うように、代掻き作業機１によって処理済みの圃場Ｆに隣接する未処理の圃場Ｆ'を代掻きすると、補助整地板４０及び第２整地板２０の左右方向端部の前方の圃場の泥水は、補助整地板４０の傾斜面部４０ａ及び第２整地板２０の傾斜部２５の前面に沿って第２整地板２０の中央部側へ向いて流れる。また補助整地板４０及び第２整地板２０の傾斜部２５から後方に流出する圃場の泥水は、第２整地板２０の中央部側へ向いて流出する。従って、走行機体９０の踏圧によって泥水や圃場に存在する藁Ｗ等が走行機体９０の側方に押し出されても、この藁Ｗ等は補助整地板４０及び第２整地板２０の傾斜部２５によって処理直後の圃場Ｆ'の内側に押し戻されるとともに、内側斜め後方に流れる泥水によってさらに圃場Ｆ'の内側に押し戻される。このため、藁Ｗ等が重ね合わせ部分Ｆｐに残ることはなく、きれいに整地された重ね合わせ部分Ｆｐの状態が維持され、その結果、圃場表面の全てを均平に整地することができる。
【００２７】
なお、前述した実施の形態では、第２整地板２０は内向傾斜する傾斜部２５を第２整地板２０の左右両端部に設けた場合を示したが、第２整地板２０の構造はこれに限るものではなく、図４（ａ）（概略平面図）に示すように、第２整地板２０の直線部２４の左右両側に内側に進むに従って内向に傾斜して傾斜角度が漸次小さくなるように接続された２つの傾斜部２５ａ，２５ｂを配設してもよいし、図示はしないが、直線部２４の左右両側に３つ以上の傾斜部を配設して、これらが左右方向内側に進むに従って漸次傾斜角度が小さくなるように配設してもよい。また、図４（ｂ）（概略平面図）に示すように、左右に各１つの傾斜部２５を配設して平面視においてＶ字状に構成し、また左右のそれぞれに２つ以上の傾斜部２５を配設してＶ字状に構成してもよい。
【００２８】
また、図２、図４（ａ）、図４（ｂ）に示す第２整地板２０の直線部２４及び傾斜部２５の各前端部は平面視において直線状に形成されたものであるが、これらの前端部を平面視において後方側に凸状に湾曲する曲線状に形成してもよい。例えば、図５（ａ）（平面図）に示すように、第２整地板２０の補強フレーム２２の前端部２２ａの全体を所定の曲率半径Ｒを有して連続的に円弧状に形成してもよい。この場合、整地板２１の後部に、第２整地板２０の後方側へ流出する泥水が機体内側方向に流れるように第２整地板２０の中央部側に傾く切り欠き部３０'を設ける。また第２整地板２０は、図５（ｂ）（平面図）に示すように、直線部２４の左右両端部に接続された各傾斜部２５の補強フレーム２２の前端部２２ａが所定の曲率半径Ｒを有して円弧状に形成されたものでもよい。
【００２９】
また、前述した実施の形態では、第２整地板２０自体が曲がって第２整地板２０が内向きに延びる構成を示したが、図６（ａ）（平面図）に示すように、整地板２１は平面視において矩形状をなして機体幅方向の一端側から他端側に直線状に延び、この整地板２１の上面に平面視においてＶ字状に延びる補強フレーム２２を取り付けて第２整地板２０'を構成してもよい。この場合、整地板２１の後部には、第２整地板２０の後方側へ流出する泥水が機体内側方向に流れるように、内側に向いた切り欠き部３０'が設けられる。また、第２整地板２０'は、図６（ｂ）（平面図）に示すように、平面視矩形状をなした整地板２１の上面に、中央部が左右方向に延びて左右方向両端部が内向に傾いて延びる補強フレーム２２を取り付けて構成されてもよい。このように、整地板２１に内向傾斜する補強フレーム２２を取り付けると、補強フレーム２２のうち内側に向く部分（以下、この部分を「傾斜案内面」と記す。）によって圃場の泥水や藁等を第２整地板２０の中央側に案内することができる。また、第２整地板２０'は、既存の整地板２１に内向きに延びる補強フレーム２２を取り付けるだけなので、第２整地板２０'の設計変更は少なく、第２整地板２０'の製造コストの上昇を抑えることができる。
【００３０】
[第２の実施の形態]
次に、本発明の第２の実施の形態に係わる代掻き作業機について説明する。第２の実施の形態では、第１の実施の形態との相違点のみを説明し、第１の実施の形態と同一態様部分については同一符号を附してその説明を省略する。代掻き作業機５０は、図７（平面図）に示すように、左右方向の中央部に配置された作業機本体５１と、この左右両端部に上下方向に回動可能に取り付けられた延長作業体６０と、延長作業体６０の左右方向の外側端部に上下方向に回動可能に取り付けられた補助整地板４０とを備え、作業機本体５１及び延長作業体６０，６０によって３分割構造になっている。
【００３１】
左右の延長作業体６０，６０は、左右対称の構造であり、作業機本体５１の耕耘ロータの作業幅を側方に延長する図示省略のロータや延長第１整地板６２等を備えてなる延長耕耘整地体６１と、延長耕耘整地体６１の後方位置に上下方向に回動可能に位置して整地作業を行う延長第２整地板６３とを有してなる。
【００３２】
延長第２整地板６３は、延長耕耘整地体６１の後端部に上下方向に回動可能に取り付けられて整地作業を行うものであり、前述した第２整地板２０の傾斜部２５と同様の構成を有している。この延長第２整地板６３は延長作業体６０の展開姿勢時に第２整地体２０の外端部に接合して連結され、延長第２整地板６３の折り畳み姿勢時には第２整地体２０の外端部から離反して第２整地体２０との接合が解除されるようになっている。
【００３３】
また延長第２整地板６３の外端部には、前述した補助整地板４０が上下方向に回動可能に取り付けられている。この補助整地板４０は、延長第２整地板６３の表側の外端部に回動可能に取り付けられて、展開状態時には延長第２整地板６３の外側に延びて延長第２整地板６３の整地作業を補助し、折り畳んだ状態（不使用状態）時には延長第２整地板６３の表面側に折り畳まれて延長第２整地板６３と重なった状態となる。
【００３４】
このように構成された代掻き作業機５０が前進すると、圃場の泥水は、第２整地板２０の後方では代掻き作業機５０の進行方向Ａに対して真っ直ぐ後方に流れ、延長作業体６０の延長第２整地板６３の前方ではこの補強フレーム２２の前側面部に沿って第２整地板２０の中央部側へ流れ、補助整地板４０の前方では傾斜面部４０ａに沿って第２整地板２０の中央部側へ流れ、補助整地板４０及び延長第２整地板６３の後方では第２整地板２０側へ向いた斜め後方に流れる。
【００３５】
このため、補助整地板４０及び延長第２整地板６３が既に代掻きが行われた処理済みの圃場Ｆの端部に重ね合うように、代掻き作業機５０によって処理済みの圃場Ｆに隣接する未処理の圃場Ｆ'を代掻きすると、補助整地板４０及び延長第２整地板６３の前方の圃場の泥水は、補助整地板４０の傾斜面部４０ａ及び延長第２整地板６３の補強フレーム２２に沿って第２整地板２０の中央部側へ向いて流れる。また補助整地板４０及び延長第２整地板６３から後方に流出する圃場の泥水は、第２整地板２０の中央部側へ向いて流出する。従って、走行機体９０の踏圧によって泥水や圃場に存在する藁Ｗ等が走行機体９０の側方に押し出されても、この藁Ｗ等は補助整地板４０及び延長第２整地板６３によって処理直後の圃場Ｆ'の内側に押し戻されるとともに、内側斜め後方に流れる泥水によってさらに圃場Ｆ'の内側に押し戻される。このため、藁Ｗ等が重ね合わせ部分Ｆｐに残ることはなく、きれいに整地された重ね合わせ部分Ｆｐの状態が維持され、その結果、圃場表面の全てを均平に整地することができる。
【００３６】
なお、前述した図７に示す代掻き作業機５０の延長第２整地板６３は、延長第２整地板６３自体が内向傾斜するものを示したが、図８（ａ）（平面図）に示すように、延長第２整地板６３の整地板６４を平面視において矩形状をなして機体幅方向の一端側から他端側に直線状に延びるものとし、この整地板６４の上面に平面視において内向きに延びる補強フレーム２２'を取り付けて延長第２整地板６３'を構成してもよい。
【００３７】
また、図８（ｂ）（平面図）に示すように、延長第２整地板６３の平面視矩形状をなす整地板６４に、平面視において内向きに延びる補強フレーム２２'を取り付け、且つ第２整地板２０に、延長第２整地板６３に取り付けられた補強フレーム２２'の延長線上に沿って延びて平面視において内向きに延びる補強フレーム２２''を取り付けて、平面視において補強フレーム全体がＶ字状に延びるように配設してもよい。
【００３８】
このように、補強フレーム２２'、２２''をＶ字状に内向傾斜するように取り付けると、これらの補強フレーム２２'、２２''によって圃場の泥水や藁等を第２整地板２０の中央側に案内することができる。また第２整地板２０や延長第２整地板６３は、矩形状に形成された既存の整地板２１、６４に補強フレーム２２'、２２''を取り付けるだけなので、第２整地板２０や延長第２整地板６３の設計変更が少なくてすみ、これら整地板の製造コストの上昇を抑えることができる。
【００３９】
また図８（ｃ）（平面図）に示すように、延長第２整地板６３に平面視において内向きに延びる補強フレーム２２'を取り付け、第２整地板２０に左右方向外側に進むに従って後方側へ傾斜する補強フレーム２２'''をように設けてもよい。即ち、補強フレーム２２'''の全体が平面視においてＷ字状に延びるように設けてもよい。このようにすると、圃場の泥水は、補助整地板４０及び延長第２整地板６３の前側では、代掻き作業機５０の前進に伴って第２整地板２０側へ向いて斜め後方に流れ、また第２整地板２０の前部では延長第２整地板６３側へ向いて斜め後方に流れる。このため、圃場の泥水は、第２整地板２０の左右方向端部と延長第２整地板６３の内側端部との間に向かって流れる。従って、代掻き作業機５０が前進して図７に示す作業機本体５１の左側端部に設けられたチェーン伝動ケース１１や作業機本体５１の右側端部に設けられたサポートプレート５３の下部によって圃場表面が削られて圃場に凹部が形成されても、第２整地板２０と延長第２整地板６３との間に向かって流れる泥水に含まれる土によって、凹部を埋め戻すことができる。
【００４０】
なお、前述した図８（ａ）〜図８（ｃ）に示した内向傾斜する補強フレーム２２や外向傾斜する補強フレーム２２の前端部は、平面視において直線状に延びたものであるが、後方側に弯曲する曲線状に形成してもよい。
【図面の簡単な説明】
【００４１】
【図１】本発明の第１の実施の形態に係わる代掻き作業機の側面図を示す。
【図２】本発明の第１の実施の形態に係わる代掻き作業機の平面図を示す。
【図３】代掻き作業機の第２整地板を説明するための断面図を示す。
【図４】本発明の第１の実施の形態に係わる代掻き作業機に設けられる第２整地板の概略平面図を示す。
【図５】本発明の第１の実施の形態に係わる内側に向いて延びる第２整地板の平面図を示す。
【図６】本発明の第１の実施の形態に係わる整地板に内向傾斜する補強フレームを設けた第２整地板の平面図を示す。
【図７】本発明の第２の実施の形態に係わる代掻き作業機の平面図を示す。
【図８】本発明の第２の実施の形態に係わる代掻き作業機に設けられる第２整地板の平面図を示す。
【図９】従来の第２整地板を示し、同図（ａ）は走行機体の後部に装着された第２整地板の斜視図を示し、同図（ｂ）は第２整地板によって排出される泥水の排出方向を説明するための第２整地板の裏面図を示す。
【図１０】傾斜案内面を有した延長第２整地板を備えた従来の代掻き作業機の平面図を示す。
【図１１】後端部に中央部側に傾いて延びる切り欠き部を備えた従来の第２整地板の平面図を示す。
【符号の説明】
【００４２】
１，５０  代掻き作業機
１３  耕耘ロータ
１９  第１整地板
２０  第２整地板
２２'  補強フレーム（傾斜案内面）
９０  走行機体
【図１】
0005232453.tif 000002
【図２】
0005232453.tif 000003
【図３】
0005232453.tif 000004
【図４】
0005232453.tif 000005
【図５】
0005232453.tif 000006
【図６】
0005232453.tif 000007
【図７】
0005232453.tif 000008
【図８】
0005232453.tif 000009
【図９】
0005232453.tif 000010
【図１０】
0005232453.tif 000011
【図１１】
0005232453.tif 000012